(57)【要約】【課題】  薄型化を図り、薄型の機器にも設置可能な水冷式ヒートシンクを提供する。【解決手段】  本発明は、開口面を有する扁平な箱状のタンク本体２と、タンク本体２の開口部を閉塞可能な受熱板３とを備えた水冷式ヒートシンク１であって、タンク本体２の側面には冷却水入口部９及び冷却水出口部１０が形成されており、受熱板３には、タンク本体２の冷却水入口部９及び冷却水出口部１０に対応する位置に、冷却水入口部１２及び冷却水出口部１３がそれぞれ外側に膨出するように形成されており、タンク本体２の冷却水入口部９と受熱板３の冷却水入口部１２により冷却水入口１５が形成され、タンク本体２の冷却水出口部１０と受熱板３の冷却水出口部１３により冷却水出口１７が形成可能なように構成されていることを特徴とする。【選択図】  図１
2006332393.tif 000002
【特許請求の範囲】
【請求項１】
開口面を有する扁平な箱状のタンク本体と、該タンク本体の開口部を閉塞可能な受熱板とを備えた水冷式ヒートシンクであって、
前記タンク本体の側面には冷却水入口部及び冷却水出口部が形成されており、前記受熱板には、前記タンク本体の冷却水入口部及び冷却水出口部に対応する位置に、冷却水入口部及び冷却水出口部がそれぞれ外側に膨出するように形成されており、前記タンク本体の冷却水入口部と前記受熱板の冷却水入口部により冷却水入口が形成され、前記タンク本体の冷却水出口部と前記受熱板の冷却水出口部により冷却水出口が形成可能なように構成されていることを特徴とする水冷式ヒートシンク。
【請求項２】
前記冷却水入口及び前記冷却水出口にそれぞれ接続される冷却水入口管及び冷却水出口管には、ストッパ部が部分的に拡径されて形成されており、該ストッパ部は、前記冷却水入口及び前記冷却水出口の各周囲部分に当接可能なように形成されている請求項１に記載の水冷式ヒートシンク。
【発明の詳細な説明】
【技術分野】
【０００１】
本発明は、ノート型パソコンのＣＰＵ（Central
Processing Unit）等を冷却するための水冷式ヒートシンクに関する。
【背景技術】
【０００２】
従来、ノート型パソコンのＣＰＵから発生した熱を放出させるため、ＣＰＵに空冷式ヒートシンクを取付けるのが一般的であったが、近年におけるパソコンの性能の向上に伴い、ＣＰＵからの発熱量が増大するに連れて、空冷式ヒートシンクではＣＰＵを十分に冷却することができなくなってきている。そこで、最近では、空冷式ヒートシンクより放熱量の大きい水冷式ヒートシンクを採用し、ＣＰＵを冷却することが行われるようになっている。
【０００３】
この種の従来の水冷式ヒートシンクでは、ＣＰＵに密着される受熱板と、箱型のタンク本体とにより内部に冷却水流路が形成されている。そして、タンク本体には、冷却水流路に連通可能なように、冷却水入口管及び冷却水出口管が接続されており、冷却水入口管を通って冷却水流路に流入した冷却水は、ＣＰＵから発生した熱を吸収した後、冷却水出口管を通って外部に流出するようになっている（例えば、特許文献１参照）。
【特許文献１】特開２００２−１７０９１５号公報
【発明の開示】
【発明が解決しようとする課題】
【０００４】
しかしながら、上記した従来の水冷式ヒートシンクでは、冷却水入口管及び冷却水出口管をタンク本体の側面に接続すると、タンク本体の厚みをある程度確保しなければならないため、タンク本体の薄型化が図り難いといった問題があった。
【０００５】
一方、冷却水入口管及び冷却水出口管をタンク本体の天板側に接続すると、タンク本体の上方に冷却水入口管や冷却水出口管の配管スペースが必要となり、ノート型パソコン等、薄型の機器には設置できないといった問題があった。
【０００６】
本発明は、上記した課題を解決すべくなされたものであり、薄型化を図ることができ、ノート型パソコン等、薄型の機器にも設置可能な水冷式ヒートシンクを提供しようとするものである。
【課題を解決するための手段】
【０００７】
本発明は、開口面を有する扁平な箱状のタンク本体と、該タンク本体の開口部を閉塞可能な受熱板とを備えた水冷式ヒートシンクであって、前記タンク本体の側面には冷却水入口部及び冷却水出口部が形成されており、前記受熱板には、前記タンク本体の冷却水入口部及び冷却水出口部に対応する位置に、冷却水入口部及び冷却水出口部がそれぞれ外側に膨出するように形成されており、前記タンク本体の冷却水入口部と前記受熱板の冷却水入口部により冷却水入口が形成され、前記タンク本体の冷却水出口部と前記受熱板の冷却水出口部により冷却水出口が形成可能なように構成されていることを特徴とする。
【０００８】
そして、前記冷却水入口及び前記冷却水出口にそれぞれ接続される冷却水入口管及び冷却水出口管には、ストッパ部が部分的に拡径されて形成されており、該ストッパ部は、前記冷却水入口及び前記冷却水出口の各周囲部分に当接可能なように形成されている。
【発明の効果】
【０００９】
本発明によれば、受熱板の冷却水入口部及び冷却水出口部が外側に膨出するように形成されているため、タンク本体の高さを低く抑えることができる。したがって、水冷式ヒートシンクの薄型化を図ることができ、ノート型パソコン等の薄型の機器にも設置することができる。
【００１０】
また、冷却水入口管及び冷却水出口管にストッパ部が形成されている場合には、ストッパ部が冷却水入口や冷却水出口の周囲部分に当接するため、冷却水入口や冷却水出口に対する冷却水入口管や冷却水出口管のロウ付け性を向上させることができ、気密性の向上や量産化を図ることが可能となる等、種々の優れた効果を得ることができる。
【発明を実施するための最良の形態】
【００１１】
以下、図１〜図４を参照しつつ、本発明の実施の形態に係る水冷式ヒートシンクについて説明する。ここで、図１は本実施の形態に係る水冷式ヒートシンクを示す平面図、図２は水冷式ヒートシンクを示す背面図、図３は水冷式ヒートシンクを示す正面図、図４は水冷式ヒートシンクを部分的に示す側面図である。
【００１２】
この水冷式ヒートシンク１はアルミニウム製であり、開口面を有するタンク本体２と、タンク本体２の開口部を閉塞可能な受熱板３と、タンク本体２と受熱板３により内部に形成された冷却水流路に設置されるインナーフィン４とを主体に構成されており、受熱板３はノート型パソコンのＣＰＵ（図示せず）側に密着して設置されるようになっている。
【００１３】
タンク本体２は、プレス加工により扁平な矩形箱状に成形されており、四隅には湾曲部６が形成され、外周部には鍔部５が形成されている。そして、タンク本体２の対向する側面７，８には、それぞれ冷却水入口部９及び冷却水出口部１０が設けられており、冷却水入口９及び冷却水出口１０は鍔部５を曲成することにより半円筒状に形成されている。
【００１４】
受熱板３は、矩形板状を成し、その外周には前記ＣＰＵに固定するための取付部１１が外方に突出して形成されている。また、受熱板２には、タンク本体２の冷却水入口部９及び冷却水出口部１０に対応する位置に、冷却水入口部１２及び冷却水出口部１３がそれぞれ外側に膨出するように曲成して形成されており、タンク本体２の冷却水入口部９と受熱板の冷却水入口部１２により冷却水入口管１４を挟み込むように冷却水入口１５が形成され、タンク本体２の冷却水出口部１０と受熱板３の冷却水出口部１３により冷却水出口管１６を挟み込むように冷却水出口１７が形成されるようになっている。
【００１５】
インナーフィン４は、金属製薄板を波型に曲成して形成され、前記冷却水流路の高さに整合した高さに形成されていると共にその外側角部１８がそれぞれタンク本体２の湾曲部６の内面に当接可能なように形成されている。これにより、インナーフィン４は、タンク本体２の天板１９と受熱板３、及びタンク本体２の各湾曲部６の内面により前記冷却水流路内の所定位置に位置決め固定されるようになっている。
【００１６】
また、冷却水入口１５及び冷却水出口１７にそれぞれ接続される冷却水入口管１４及び冷却水出口管１６には、冷却水入口１５及び冷却水出口１７の各周囲部分に当接可能なように、ストッパ部２０，２１が部分的に拡径されて形成されており、ストッパ部２０，２１は冷却水入口管１４及び冷却水出口管１６がそれぞれ隙間なく冷却水入口１５及び冷却水出口１７に接続可能なように十分な大きさを有している。
【００１７】
そして、上記した構成を備えた水冷式ヒートシンク１において、冷却水入口管１４から前記冷却水用流路に流入した冷却水は、インナーフィン４により攪拌されながら、前記冷却水流路を流通し、受熱板３を介して前記ＣＰＵから発生した熱を吸収した後、冷却水出口管１６を通って外部に流出する。この時、インナーフィン４がタンク本体２の天板１９と受熱板３に密着して設けられ、また、前記冷却水流路を流通する冷却水がインナーフィン４により攪拌されながら、前記冷却水流路を流通するため、前記ＣＰＵから発生した熱をその冷却水に効率よく伝達することができ、熱交換効率の向上を図ることが可能となる。
【００１８】
このように、上記した実施の形態に係る水冷式ヒートシンク１によれば、受熱板３の冷却水入口部９及び冷却水出口部１０が外側に膨出するように形成されているため、タンク本体２の高さを低く抑えることができる。したがって、水冷式ヒートシンク１の薄型化を図ることができ、ノート型パソコン等の薄型の機器にも設置することができる。また、冷却水入口管１４及び冷却水出口管１６の各ストッパ部２０，２１が冷却水入口１５や冷却水出口１７の周囲部分に当接するため、冷却水入口１５や冷却水出口１７に対する冷却水入口管１４や冷却水出口管１６のロウ付け性を向上させることができ、気密性の向上や量産化を図ることが可能となる。
【００１９】
なお、上記実施の形態において、前記冷却水流路に仕切板を設置して、複数パス化を図ることもでき、その場合には、冷却水が前記冷却水流路の隅々まで流通するようになるため、熱交換効率を一段と高めることができる。
【００２０】
また、冷却水入口１５や冷却水出口１７は、取付スペースが許す限り、複数箇所に設け、冷媒封入口やエア抜き用として利用することもできる。
【００２１】
さらに、取付部１１の形状は、各種変更が可能であり、プレス加工により受熱板３と兼用可能なように形成させてもよい。
【００２２】
また、上記した実施の形態では、ノート型パソコンのＣＰＵを冷却する場合について例示して説明したが、ヒートシンク１により冷却される被冷却体は上記したＣＰＵに限らず、サイリスタや電力用コンデンサ等であってもよい。
【図面の簡単な説明】
【００２３】
【図１】本発明の実施の形態に係る水冷式ヒートシンクを示す平面図である。
【図２】本発明の実施の形態に係る水冷式ヒートシンクを示す背面図である。
【図３】本発明の実施の形態に係る水冷式ヒートシンクを示す正面図である。
【図４】本発明の実施の形態に係る水冷式ヒートシンクを部分的に示す側面面図である。
【符号の説明】
【００２４】
１          水冷式ヒートシンク
２          タンク本体
３          受熱板
９          冷却水入口部
１０        冷却水出口部
１２        冷却水入口部
１３        冷却水出口部
１４        冷却水入口管
１５        冷却水入口
１６        冷却水出口管
１７        冷却水出口
２０        ストッパ部
２１        ストッパ部
【図１】
2006332393.tif 000003
【図２】
2006332393.tif 000004
【図３】
2006332393.tif 000005
【図４】
2006332393.tif 000006